(57)【要約】      （修正有）【課題】年中揺れ動く海上での発電であり如何にこの揺れを最小限に押さえた発電装置を提供する。【解決手段】海上に於て船底部分に回転扇部分を設け船底部分より噴出される高水圧海水を船上からの高圧空気を混合させて「ジェット海水」として回転扇部分に直接噴出させて高速で強力な回転力を無限に発電源として活用するものである。同時に本空気容器安定船は本発電施設全体の海上での安定と波動等にも対応するものである【選択図】図２
2012189071.tif 000002
【特許請求の範囲】
【請求項１】
海上に於て船底部分に回転扇部分を設け船底部分より噴出される高水圧海水を船上からの高圧空気を混合させて「ジェット海水」として回転扇部分に直接噴出させて高速で強力な回転力を無限に発電源として活用するものである。
【請求項２】
発生する海水を上記船外に排出さす為に空気容器安定船を数室に仕切り最後の室では船上よりの高圧空気注入により同時に高水圧に耐える強靭なホースにて海水を放出するものである
同時に本空気容器安定船は本発電施設全体の海上での安定と波動等にも対応するものである
【請求項３】
空気容器安定船の強力な浮力を利用し上部船内の回転扇部分の中心軸を数１０ｃｍ持ち上げる事により、回転扇の回転が始まれば大きな波動等にも耐える事が出来、大切な自然に対応する能力が数段向上し、又軽快な高速回転にも大きく寄与するものである。
【発明の詳細な説明】
【技術分野】
【０００１】  本発明は無限に存在する海水圧を利用し、水深の深い処の噴出海水を利用した発電装置である。【０００２】  本発明に係わる設備技術等は殆んど見受けられず全く新時代の技術である。【０００３】  以下の通り図１〜図４により説明をする。
従来の発電設備より大変簡単な設備で可能である。【０００４】  水圧を利用し、自然の海水の水面下よりの噴出と空気容器による浮力によって回転扇部分が浮き上がり回転時の軸受の摩擦等が大幅に軽減され同時に高圧海水と高圧空気の同時噴出を受け回転扇が高速回転となり強力な発電を得るものである。
【発明の概要】
【発明が解決しようとする課題】  従来の火力発電・水力発電は大規模な設備が必要であり併せて大量の炭酸ガス，煤煙等の大量噴出がある。本発明は従来の発電方法にも負けない大規模発電が可能である。
【課題を解決するための手段】  １つの課題である炭酸ガス、煤煙等の大量噴出は殆んど無くなり又１つの課題である大規模発電を解決する為に数台より数十台を連結さす事等により充分可能でありよって大容量の発電を獲得出来るものである。
【発明の効果】  海に近い場所であれば殆んどの場所で発電が可能となり、且つ設備が船の造船等と比べても大変に軽い
約数ｔから数十ｔの排水量でよく大変安価な設置となりあらゆる場所に設置が可能となるものである。
【図面の簡単な説明】
【図１】別図の通り数台から数十台の高圧噴出発電装置の連結が可能である。
【図２】海水圧高圧噴出発電装置の全体像である。
【図３】空気容器安定船の説明である。
【図４】空気容器安定船の浮上により回転扇の軸受部分の受皿部分の確保を数１０ｃｍ持ち上げる事により、より軽快な回転と諸々の波の上下等に対応するものである。
【発明を実施するための形態】
〔図１〕
海の広さは無限に在り、出来るだけ多くの発電を目指す為に本設備を数台から数十台と連結さす方法を考える事により飛躍的に大量の発電結果が得られるものである。
多くの回転扇を連ねる事により空気容器の統合、船台部分の統合等により大幅に設備投資が軽減されるものである。
〔図２〕
１）まず船体部分に於ては諸設備重量が数１０ｔ程度と思われる事と回転扇部分が丸い為に総排水量が大幅に軽減されて、想像以上に軽量の総重量となる。
２）（イ）図の通りに空気容器（Ａ）が浮上する力を利用して回転扇全体を持ち上げる事により回転摩擦の減少を図り高速回転を行なう為の大きな役割を果たす部分である。
３）（ロ）図の通りに船上空気圧縮ポンプと海中より噴き出す高水圧海水を「高圧ジェット水流」として噴射をし回転扇（Ａ）（Ｂ）を高速回転させて発電を行なうものである。
４）（ハ）図の通りに各空気容器は水深１０ｍ〜２０ｍとなり、強力な水圧が掛かる為に強力な鋼鉄と防水を備えた設備となり又本発電装置で大切な浮力の調整と海水の排水と荒天時の振動の調整等が本空気容器の役目である。
当然船上部分の大きさ重量等により大きさ形状等は当然変わるものである。
又体制の変化、海流の変化度等に依り本体内の排水の為の水槽の配置も変わるものとする。
５）（ニ）図の通りに高水圧の中での放水となる為にホースの太さも出来るだけ細くし、かつ強くて固いホースとする。
６）（ホ）図の通りに空気容器Ｂを加える事により大型の船上部分とより深度が深くなる事により噴出圧力が強い「高水圧海水」が得られ海上発電設備がより大きく安定して来るものである。
〔図３〕
本図の通りに上部回転扇部分より海水が本空気容器内に流入して来た時に本図の様に容機内を３段階の高さとし、３番目の部屋部分には海上より高圧空気が注入されて同時に海水排出ホースを通じて外海え放出されるものである。
〔図４〕
本図の通り空気容器が浮力により浮上する力を利用して回転扇部分の芯の軸先部分を数１０ｃｍ程持ち上げる事により回転が始まると「駒の回転」の如くより中心の軸先部分の一点に重量が掛かるが、その回転がだんだんと高速回転となって来ると中心のよくとれた駒の回転のように軽快な回転と同時にほぼ空中に浮いた状態の回転となりより高速回転が得られるものとなり海中での揺れが半減される大切な部分である。
【図１】
2012189071.tif 000003
【図２】
2012189071.tif 000004
【図３】
2012189071.tif 000005
【図４】
2012189071.tif 000006
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
海上に於て船底部分に回転扇部分を設け船底部分より噴出される高水圧海水を船上からの高圧空気と混合させて「ジェット海水」として回転扇部分に直接噴出させて回転力を得る発電装置であって発生する海水を船外に排出さす為に空気容器船を数室に仕切り最後の室に船上より高圧空気を注入し、海水の排水を行ない排水後は高圧空気を逃しながら順次排水を行なう発電装置。
【手続補正書】
【提出日】平成23年7月1日(2011.7.1)
【手続補正１】
【補正対象書類名】明細書
【補正対象項目名】０００４
【補正方法】変更
【補正の内容】
【０００４】  海上に於て船底部分に回転扇部分を設け船底部分より噴出される高水圧海水を船上からの高圧空気と混合させて「ジェット海水」として回転扇部分に直接噴出させて回転力を得る発電装置であって発生する海水を船外に排出さす為に空気容器船を数室に仕切り最後の室に船上より高圧空気を注入し、海水の排水を行ない排水後は高圧空気を逃しながら順次排水を行なう発電装置である。
【手続補正書】
【提出日】平成23年9月3日(2011.9.3)
【手続補正１】
【補正対象書類名】特許請求の範囲
【補正対象項目名】請求項１
【補正方法】変更
【補正の内容】
【請求項１】
海上に浮かせた船と、船の下に接続される容器とを具備し、前記船の船底部分に回転扇を設置し、前記回転扇に、船底部分に噴出する高圧な海水と船内から導入される高圧な空気とを混合させた「ジェット海水」を直接衝突させることにより、回転扇を回転させて発電する発電装置であって、前記容器は仕切り壁により複数の室に仕切り、回転扇に衝突させた後の海水を前記容器の前記複数の室に順次導入し貯留させ、前記回転扇に衝突させた後の海水を排出する際には、前記複数の室の最も下流側に位置する室に船内から導入される高圧な空気を注入することにより、前記回転扇に衝突させた後の海水を容器外に排出し、海水を排出しない際には、前記最も下流側に位置する室に充満した高圧な空気を逃がすことを繰り返す発電装置。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
海上に浮かせた船と、船の下に接続される容器とを具備し、前記船の船底部分に回転扇を設置し、前記回転扇に、船底部分に噴出する高圧な海水と船内から導入される高圧な空気とを混合させた「ジェット海水」を直接衝突させることにより、回転扇を回転させて発電する発電装置であって、前記容器は仕切り壁により複数の室に仕切り、回転扇に衝突させた後の海水を前記容器の前記複数の室に順次導入し貯留させ、前記回転扇に衝突させた後の海水を排出する際には、前記複数の室の最も下流側に位置する室に船内から導入される高圧な空気を注入することにより、前記回転扇に衝突させた後の海水を容器外に排出し、海水を排出しない際には、前記最も下流側に位置する室に充満した高圧な空気を逃がすことを繰り返す発電装置である。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
海上に浮かせた船と、船の下に接続される容器とを具備し、前記船の船底部分に回転扇を設置し、前記回転扇に、船底部分に噴出する高圧な海水と船内から導入される高圧な空気とを混合させた「ジェット海水」を直接衝突させることにより、回転扇を回転させて発電する発電装置であって、前記容器は仕切り壁により複数の室に仕切り、回転扇に衝突させた後の海水を前記容器の前記複数の室に順次導入し貯留させ、前記回転扇に衝突させた後の海水を排出する際には、前記複数の室の最も下流側に位置する室に船内から導入される高圧な空気を注入することにより、前記回転扇に衝突させた後の海水を容器外に排出し、海水を排出しない際には、前記最も下流側に位置する室に充満した高圧な空気を逃がすことを繰り返す発電装置である。
【手続補正２】
【補正対象書類名】明細書
【補正対象項目名】０００４
【補正方法】変更
【補正の内容】
【０００４】  海上に浮かせた船と、船の下に接続される容器とを具備し、前記船の船底部分に回転扇を設置し、前記回転扇に、船底部分に噴出する高圧な海水と船内から導入される高圧な空気とを混合させた「ジェット海水」を直接衝突させることにより、回転扇を回転させて発電する発電装置であって、前記容器は仕切り壁により複数の室に仕切り、回転扇に衝突させた後の海水を前記容器の前記複数の室に順次導入し貯留させ、前記回転扇に衝突させた後の海水を排出する際には、前記複数の室の最も下流側に位置する室に船内から導入される高圧な空気を注入することにより、前記回転扇に衝突させた後の海水を容器外に排出し、海水を排出しない際には、前記最も下流側に位置する室に充満した高圧な空気を逃がすことを繰り返す発電装置である。